(57)【要約】【課題】大きな荷重を必要としないで、筐体への取り付け、および筐体からの取り外しが可能であるコネクタカバーを実現する。【解決手段】コネクタカバー（１０）は、筐体（２０）の外装（２０ａ）を貫通する貫通孔（２１）が底面（２３ａ）に形成された開口部（２３）を開閉する蓋部（１４）と、貫通孔（２１）の内周面（２１ａ）に形成された雌ねじ部（２２）に螺合する雄ねじ部（１２）が外周面に形成された腕部（１１）と、を備え、腕部（１１）の非ねじ部（１３）の外径（Ｄ１）は雌ねじ部（２）の内径（Ｄ３）よりも小さい。【選択図】図１
2018060679.tif 000002
【特許請求の範囲】
【請求項１】
筐体の外装を貫通する貫通孔が底面に形成された開口部を開閉する蓋部と、
前記開口部を閉じた場合、前記蓋部における前記貫通孔に対応する位置に設けられ、前記貫通孔の内周面に形成された雌ねじ部に螺合する雄ねじ部が、外周面に形成された腕部と、を備え、
前記腕部における前記蓋部から前記雄ねじ部までの非ねじ部の外径は、前記雌ねじ部の内径よりも小さいことを特徴とするコネクタカバー。
【請求項２】
前記雄ねじ部は、前記腕部の先端部に設けられていることを特徴とする請求項１に記載のコネクタカバー。
【請求項３】
前記腕部は、前記蓋部の端部に設けられていることを特徴とする請求項１または２に記載のコネクタカバー。
【請求項４】
前記蓋部は、細長い形状であることを特徴とする請求項１から３のいずれか１項に記載のコネクタカバー。
【請求項５】
前記非ねじ部の長さは前記外装の厚みよりも長いことを特徴とする請求項１から４のいずれか１項に記載のコネクタカバー。
【請求項６】
開口部が形成された筐体であって、
前記開口部の底面には、当該筐体の外装を貫通する貫通孔が形成され、
前記貫通孔の内周面には、雌ねじ部が形成されており、
前記雌ねじ部は、前記開口部を開閉するコネクタカバーの蓋部に設けられた腕部の外周面に形成された雄ねじ部に螺合し、
前記雌ねじ部の内径は、前記腕部における前記蓋部から前記雄ねじ部までの非ねじ部の外径よりも大きいことを特徴とする筐体。
【請求項７】
前記雌ねじ部のねじ山は、１ターン未満で形成されていることを特徴とする請求項６に記載の筐体。
【請求項８】
前記雌ねじ部のねじ山の間隔は、前記雄ねじ部のねじ山の間隔よりも広いことを特徴とする請求項６または７に記載の筐体。
【請求項９】
前記雌ねじ部のねじ山の深さは、前記雄ねじ部のねじ山の深さよりも深いことを特徴とする請求項６から８のいずれか１項に記載の筐体。
【請求項１０】
開口部が形成された筐体と、
前記開口部を開閉する蓋部を有するコネクタカバーと、を備え、
前記開口部は、前記筐体の外装を貫通する貫通孔が底面に形成され、前記貫通孔の内周面には雌ねじ部が形成されており、
前記蓋部には、前記開口部を閉じた場合、前記蓋部における前記貫通孔に対応する箇所に設けられ、前記雌ねじ部に螺合する雄ねじ部が外周面に形成された腕部が設けられ、
前記腕部における、前記蓋部から前記雄ねじ部までに設けられている非ねじ部の外径は、前記雌ねじ部の内径よりも小さいことを特徴とする電子機器。
【発明の詳細な説明】
【技術分野】
【０００１】
本発明は、電子機器に関し、特に、電子機器の筐体の開口部を開閉するコネクタカバーの構造に関する。
【背景技術】
【０００２】
電子機器、例えば、携帯端末には、充電用コネクタを挿し込む、または、ＳＤカード／ＳＩＭカードなどのカードを出し入れする開口部が形成されている。また、上記電子機器には、意匠、防塵、および防水等の目的で、上記開口部を開閉するカバーが取り付けられている。
【０００３】
上記カバーは、携帯端末の修理等を行う際には、作業の邪魔にならないように筐体から取り外しができ、ユーザによる携帯端末の使用時における開口部の開閉際には、紛失を防ぐために、筐体から分離されないことが望まれる。言い換えると、上記カバーには、（１）一定荷重以上でも筐体から外れないこと、および、（２）筐体から取り外すことができること、という２つの機能が求められている。
【０００４】
そこで、例えば、特許文献１には、（１）先端部分に引っ掛け爪が形成された突起部を有するコネクタカバーと、（２）突起部が挿入される孔が形成され、突起部の先端部分が当該孔を通過した先に引っ掛け爪を係止するリブを有する係止部が設けられた筐体と、を備える携帯端末機器が提案されている。特許文献１の突起部の先端部分には溝が設けられており、突起部の先端部分は、上記溝の方向に収縮して孔を通過し、その後、収縮が解除されてもとの状態に戻った突起部の先端部分を係止部が係止する。これにより、コネクタカバーが筐体から抜け落ちることを防止する。
【先行技術文献】
【特許文献】
【０００５】
【特許文献１】特開２００３−２５８９６４号公報（２００３年９月１２日公開）
【発明の概要】
【発明が解決しようとする課題】
【０００６】
しかしながら、上述のような従来技術は、引っ掛け爪が孔の直径よりも突出して構成されているため、コネクタカバーを取り付ける際の挿入荷重、または、取り外す際の引き抜き荷重が大きくなってしまい、コネクタカバーの破損等につながるという問題がある。
【０００７】
また、挿入荷重や引き抜き荷重を下げるために、穴の径を大きくしたり、引っ掛け爪を小さくしたりすると、コネクタカバーを開閉する際に、意図せずコネクタカバーが筐体から抜け落ち、コネクタカバーを紛失してしまうという問題がある。一方、コネクタカバーを筐体から取り外す際の引き抜き荷重を上げるために、穴の径を小さくしたり、引っ掛け爪を大きくしたりすると、コネクタカバーを筐体に取り付ける際の挿入荷重が大きくなり、取り付けにくくなるという問題がある。
【０００８】
本発明は、前記の問題点に鑑みてなされたものであり、その目的は、大きな荷重を必要としないで、筐体への取り付け、および筐体からの取り外しが可能であるコネクタカバーを実現することにある。
【課題を解決するための手段】
【０００９】
上記の課題を解決するために、本発明の一態様に係るコネクタカバーは、筐体の外装を貫通する貫通孔が底面に形成された開口部を開閉する蓋部と、前記開口部を閉じた場合、前記蓋部における前記貫通孔に対応する位置に設けられ、前記貫通孔の内周面に形成された雌ねじ部に螺合する雄ねじ部が、外周面に形成された腕部と、を備え、前記腕部における前記蓋部から前記雄ねじ部までの非ねじ部の外径は前記雌ねじ部の内径よりも小さいことを特徴とする。
【００１０】
上記の課題を解決するために、本発明の一態様に係る筐体は、開口部が形成された筐体であって、前記開口部の底面には、当該筐体の外装を貫通する貫通孔が形成され、前記貫通孔の内周面には、雌ねじ部が形成されており、前記雌ねじ部は、前記開口部を開閉するコネクタカバーの蓋部に設けられた腕部の外周面に形成された雄ねじ部に螺合し、前記雌ねじ部の内径は、前記腕部における前記蓋部から雄ねじ部までの非ねじ部の外径よりも大きいことを特徴とする。
【００１１】
上記の課題を解決するために、本発明の一態様に係る電子機器は、開口部が形成された筐体と、前記開口部を開閉する蓋部を有するコネクタカバーと、を備え、前記開口部は、前記筐体の外装を貫通する貫通孔が底面に形成され、前記貫通孔の内周面には雌ねじ部が形成されており、前記蓋部には、前記開口部を閉じた場合、前記蓋部における前記貫通孔に対応する箇所に設けられ、前記雌ねじ部に螺合する雄ねじ部が外周面に形成された腕部が設けられ、前記腕部における、前記蓋部から前記雄ねじ部までに設けられている非ねじ部の外径は、前記雌ねじ部の内径よりも小さいことを特徴とする。
【発明の効果】
【００１２】
本発明の一態様によれば、大きな荷重を必要としないで、筐体への取り付け、および筐体からの取り外しが可能であるコネクタカバーを実現できる効果を奏する。
【図面の簡単な説明】
【００１３】
【図１】（ａ）は、本発明の実施形態１に係る携帯端末のコネクタカバーの側面図であり、（ｂ）は、上記携帯端末の筐体の貫通孔の斜視図である。
【図２】上記貫通孔において、コネクタカバーの取り付け開始位置と、取り外し開始位置とを示した図である。
【図３】上記携帯端末においてコネクタカバーを筐体に取り付けた状態を示した斜視図である。
【図４】（ａ）は上記コネクタカバーを筐体に取り付ける過程を筐体の内側から示した斜視図であり、（ｂ）は上記コネクタカバーを筐体に取り付ける過程を筐体の外側から示した斜視図である。
【図５】上記携帯端末の筐体において、ねじ形状を金型スライド構造で作成する方法を説明する断面図である。
【発明を実施するための形態】
【００１４】
以下、本発明の実施形態について、詳細に説明する。なお、説明の便宜上、各実施形態に示した部材と同一の機能を有する部材については、同一の符号を付記し、適宜その説明を省略する。
【００１５】
〔実施形態１〕
以下、本発明の実施形態１について、図１〜図４に基づいて説明する。本実施形態では、一例として、携帯端末１００としてスマートフォンについて説明する。ただし、携帯端末１００としては、携帯電話機、タブレットＰＣ、電子辞書、携帯音楽プレイヤー、携帯ゲーム機等の任意の電子機器を適用することができる。
【００１６】
（携帯端末）
図４の（ａ）は、本発明の実施形態１に係る携帯端末１００のコネクタカバー１０を筐体２０に取り付ける過程を筐体２０の内側から示した斜視図であり、図４の（ｂ）はコネクタカバー１０を筐体２０に取り付ける過程を筐体２０の外側から示した斜視図である。なお、図４の（ａ）・（ｂ）の矢印ＡＲ１は、コネクタカバー１０の取り付け回転方向を示し、矢印ＡＲ２は、コネクタカバー１０の取り外し回転方向を示す。
【００１７】
図４の（ａ）および図４の（ｂ）に示すように、携帯端末１００は、筐体２０としての略直方体の携帯端末本体と、コネクタカバー１０とを備えている。コネクタカバー１０は、筐体２０の貫通孔２１に対して回転させることで、筐体２０への取り付け、筐体２０からの取り外しを行うことができる。以下に詳しく説明する。
【００１８】
（筐体）
筐体２０について、図１から図４に基づいて説明する。図１の（ａ）は、本発明の実施形態１に係る携帯端末１００のコネクタカバー１０の側面図である。図１の（ｂ）は、携帯端末１００の筐体２０の貫通孔２１の斜視図である。図２は、貫通孔２１において、コネクタカバー１０の取り付け開始位置Ｋ１と、取り外し開始位置Ｋ２とを示した図である。図３は、携帯端末１００においてコネクタカバー１０を筐体２０に取り付けた状態を示した斜視図である。なお、図２の矢印ＡＲ１は、コネクタカバー１０の取り付け回転方向を示す。
【００１９】
図１の（ｂ）に示すように、筐体２０には、開口部２３が形成されている。開口部２３は、例えば、携帯端末１００に充電用コネクタを挿し込む、または、ＳＤカード／ＳＩＭカードなどのカードを出し入れするために設けられている。
【００２０】
開口部２３の底面２３ａには、貫通孔２１が形成されている。貫通孔２１は、ＳＤカード／ＳＩＭカードなどのカードを出し入れする箇所とは、別に設けられ、例えば、開口部２３の端部に設けられている。
【００２１】
貫通孔２１は、筐体２０の外装２０ａを貫通する。貫通孔２１の内周面２１ａには、雌ねじ部２２が形成されている。雌ねじ部２２は、後述する雄ねじ部１２に螺合する。
【００２２】
雌ねじ部２２のねじ山２２ａ（図５参照）は、１ターン未満で形成されている。具体的には、図２に示すように、雌ねじ部２２は、取り付け開始位置Ｋ１から取り外し開始位置Ｋ２まで、内周面２１ａに螺旋状に形成されている。
【００２３】
内周面２１ａにねじ山２２ａが１ターン未満で形成される場合であっても、ねじ山２２ａが形成されていない範囲を所定値以下に抑えることで、後述する雄ねじ部１２とのロック機能が十分に発揮できる。例えば、図２に示すように、貫通孔２１の中心を中心として、取り付け開始位置Ｋ１と取り外し開始位置Ｋ２とのなす角θを、およそ１２０°以下に抑えることで、上記機能が発揮できる。ねじ山２２ａが１ターン未満で形成されることにより、コネクタカバー１０の筐体２０に対する取り付けの容易性を実現するとともに、筐体２０を薄型化できる。また、角θを９０°以上１２０°以下の範囲とすることで、
雌ねじ部２２のねじ山２２ａが１ターンしたときに隣り合うねじ山２２ａ同士の間隔（ピッチＰ２、図示なし）は、後述する雄ねじ部１２のねじ山１２ａが１ターンしたときに隣り合うねじ山１２ａの間隔（ピッチＰ１）よりも広い。ピッチＰ２をピッチＰ１よりも広くとることで、コネクタカバー１０の腕部１１を貫通孔２１に挿入して回転させるときのクリアランスに余裕ができる。これにより、コネクタカバー１０の回転が容易となり、コネクタカバー１０を貫通孔２１に挿入しやすくなる。言い換えると、ピッチＰ１およびピッチＰ２を調整することで、コネクタカバー１０の挿入のしやすさを調整できる。
【００２４】
雌ねじ部１１は、通常の金型で構成できる形状が望ましい。雌ねじ部２２を金型で作成することで、取り付け開始位置Ｋ１および取り外し開始位置Ｋ２が一定となり、取り付け、および取り外し作業が容易となる。
【００２５】
（コネクタカバー）
コネクタカバー１０について、図１の（ａ）・（ｂ）に基づいて説明する。図１の（ａ）に示すように、コネクタカバー１０は、腕部１１、および蓋部１４を備えている。
【００２６】
蓋部１４は、開口部２３を開閉する。例えば、蓋部１４の形状は、開口部２３に嵌る形状であり、開口部２３に蓋部１４をはめ込むことで、蓋部１４は開口部２３を閉じることができる。蓋部１４の形状は特に規定されない。本実施形態では、筐体２０の形状に合わせて、蓋部１４の形状は細長い丸角長方形である。蓋部１４の形状を細長くすることで、蓋部１４の回転を容易にすることができる。蓋部１４は、ねじ山２２ａの内径（雌ねじ部２２の内径Ｄ３）よりも大きい。
【００２７】
蓋部１４には、腕部１１が設けられている。蓋部１４において、蓋部１４が開口部２３を閉じた場合に、貫通孔２１に対応する位置に腕部１１が設けられている。本実施形態では、蓋部１４における端部、詳しくは端部から少し中央に寄せた位置に腕部１１が配置されている。これにより、蓋部１４の回転が容易になる。蓋部１４における腕部１１の位置は、上記に限らない。例えば、筐体２０が真円形状である場合、蓋部１４における腕部１１の位置が蓋部１４の中央付近であれば、非ねじ部１３の長さを後述するように外装の厚みＴ１よりも長くする必要はない。
【００２８】
腕部１１の先端部の外周面には、雄ねじ部１２が形成されている。雄ねじ部１２は、雌ねじ部２２に螺合する。そのため、雄ねじ部１２の外径Ｄ２は、雌ねじ部２２の内径Ｄ３よりも大きい。
【００２９】
腕部１１において、蓋部１４から雄ねじ部１２までは、ねじ山は形成されておらず、非ねじ部１３が設けられている。非ねじ部１３の外径Ｄ１は、雌ねじ部２１の内径Ｄ３よりも小さい。また、非ねじ部１３の長さＨ１は、筐体２０の外装の厚みＴ１（図１の（ｂ）および図３参照）よりも長い。これにより、雄ねじ部１２が筐体２０の内部にある場合でも、腕部１１は、貫通孔２１内において、雄ねじ部１２および蓋部１４の間（非ねじ部１３）でスライドし、回転することができる（図３、図４の（ａ）および図４の（ｂ）参照）。そのため、コネクタカバー１０が筐体２０に装着された状態で、コネクタカバー１０を回転させて開口部２３を開閉できる。また、開口部２３の開閉の際には、ねじ構造を意識せず、非ねじ部１３の出し入れ（スライド）のみで開口部２３の開閉が行える。
【００３０】
雄ねじ部１２は、腕部１１の先端部ではなく、腕部１１の中央部に形成し、先端部には別のロック機構やその他機能を設けてもよい。雄ねじ部１２を腕部１１の先端部に形成することにより、腕部１１の長さを最小限にすることができる。また、雄ねじ部１２のねじ山１２ａの形成範囲を調整することで、コネクタカバー１０の取り外しまでの回転数を調整することができる。
【００３１】
さらに、雌ねじ部２２の内径Ｄ３や非ねじ部１３の外径Ｄ１を変更することで、雄ねじ部１２と雌ねじ部２２との係りについて調整することができる。また、雌ねじ部２２のねじ山の深さＱ２（図５参照）を、雄ねじ部１２のねじ山の深さＱ１よりも深くすることで、コネクタカバー１０の回転性を向上させることができる。
【００３２】
（取り付け取り外し）
図４の（ａ）・（ｂ）に基づき、筐体２０へのコネクタカバー１０の取り付け、および、筐体２０からのコネクタカバー１０の取り外し過程を説明する。
【００３３】
上述したように、コネクタカバー１０は、筐体２０に対して回転させることにより、筐体２０への取り付け・取り外しを行う。より詳しくは、ねじ山２２ａ（図５参照）にねじ山１２ａ（図１の（ａ）参照）を係止させて、コネクタカバー１０を回転させることにより、雄ねじ部１２を筐体２０の外側から内側へ引き込む、または雄ねじ部１２を筐体２０の内側から外側に押し出す。
【００３４】
これにより、コネクタカバー１０の一部を変形させることなく、容易にコネクタカバー１０を筐体２０に取り付けることができるので、取り付けに大きな荷重を必要としない。また、コネクタカバー１０を筐体２０から取り外す際にも、同様に、大きな引き抜き荷重を必要としない。
【００３５】
従来（特許文献１）のように、筐体２０への取り付け、および筐体２０からの取り外しのために、コネクタカバーの先端部を変形させる必要がある場合、上記先端部には、荷重に対して変位の大きなエラストマー等の高弾性の材料を採用することが一般的である。一方、本実施形態では、コネクタカバー１０は変形する必要がない。したがって、雄ねじ部１２は材料として、例えば、ＰＣ（ポリカーボネート）や、ＡＢＳ（アクリロニトリルブタジエンスチレン）などの外観加飾性の良い材料を用いることができる。また、雄ねじ部１２は材料として、エラストマーの２色成形を用いることもできる。
【００３６】
非ねじ部１３においても、従来のように、筐体２０への取り付け、および筐体２０からの取り外しの際に、引張圧縮方向や曲げ方向に荷重が発生しないため、エラストマー等を利用して２色成形をする必要がなくなる。
【００３７】
また、コネクタカバー１０が筐体２０に取り付けられている状態では、ユーザからねじ構造が確認できない。そのため、ユーザが引き抜き方向に荷重をかけながら回転させるという、コネクタカバー１０の取外し方法を知らなければ、筐体２０からコネクタカバー１０を簡単に取り外すことができない。
【００３８】
さらに、本実施形態に係る携帯端末１００は、コネクタカバー１０の腕部１１の先端部、および筐体２０の貫通孔２１にねじ構造を設けるだけなので、特許文献１に記載されているコネクタカバーのような複雑な構造が不要となる。
【００３９】
〔実施形態２〕
次に、図５に基づいて、本発明の実施形態２について説明する。実施形態２では携帯端末１００の筐体２０において、ねじ形状を金型スライド構造で作成する方法を説明する。図５は、携帯端末１００の筐体２０において、ねじ形状を金型スライド構造で作成する方法を説明する断面図である。
【００４０】
ねじ山２２ａを１ターン未満とすることにより、雌ねじ部２２を内周面２１ａに形成する際に、複雑な金型構造が不要となり、雌ねじ部２２を金型スライド構造により形成することができる。言い換えると、金型のナット構造等、より具体的には、アウトサート、インサートナット、およびタッピング、を用いなくても、雌ねじ部２２を形成することができる。
【００４１】
詳しくは、図５に示すように、雌ねじ部２２は、傾斜ピン３１と外スライド３０との付き合わせ構造で作成することができる。また、雌ねじ部２２は、アウトサートナット等でも作成可能である。
【００４２】
〔まとめ〕
本発明の態様１に係るコネクタカバー（１０）は、筐体（２０）の外装（２０ａ）を貫通する貫通孔（２１）が底面（２３ａ）に形成された開口部（２３）を開閉する蓋部（１４）と、前記開口部を閉じた場合、前記蓋部における前記貫通孔に対応する位置に設けられ、前記貫通孔の内周面（２１ａ）に形成された雌ねじ部（２２）に螺合する雄ねじ部（１２）が、外周面に形成された腕部（１１）と、を備え、前記腕部における前記蓋部から前記雄ねじ部までの非ねじ部（１３）の外径（Ｄ１）は前記雌ねじ部の内径（Ｄ３）よりも小さい。
【００４３】
上記構成によれば、コネクタカバーの腕部の外周に形成された雄ねじ部と、筐体の貫通孔の内周面に形成された雌ねじ部とが螺合する。これにより、腕部の雄ねじ部と筐体の貫通孔の雌ねじ部とを合わせて、コネクタカバーを回転させることで、コネクタカバーの筐体への取り付け、および、コネクタカバーの筐体からの取り外しができる。その結果、コネクタカバーの筐体への取り付け、および筐体からの取り外しを、大きな荷重を必要とせずに、行うことができる。
【００４４】
また、腕部の雄ねじ部と、筐体の貫通孔の雌ねじ部とを合わせて回転させないと、コネクタカバーは筐体から取り外せない。さらに、腕部における非ねじ部の外径は貫通孔の雌ねじ部の内径よりも小さくなっている。そのため、製造時に、コネクタカバーを筐体に取り付けた後、ユーザがコネクタカバーを使用する際には、ユーザは腕部の一部が筐体内側にある状態を保ったまま、コネクタカバーにより開口部を開閉することができる。
【００４５】
以上により、筐体からの抜け落ちを防止するとともに、大きな荷重を必要とせずに、筐体への取り付け、および筐体からの取り外しができるコネクタカバーを実現することができる。
【００４６】
本発明の態様２に係るコネクタカバー（１０）は、上記態様１において、前記雄ねじ部（１２）は、前記腕部（１１）の先端部に設けられていることが好ましい。上記構成によれば、腕部の長さを最小限に抑えることができる。
【００４７】
本発明の態様３に係るコネクタカバー（１０）は、上記態様１または２において、前記腕部（１３）は、前記蓋部（１４）の端部に設けられていることが好ましい。上記構成によれば、蓋部の回転を容易にすることができる。
【００４８】
本発明の態様４に係るコネクタカバー（１０）は、上記態様１から３のいずれかにおいて、前記蓋部（１４）は、細長い形状であることが好ましい。上記構成によれば、蓋部の回転を容易にすることができる。
【００４９】
本発明の態様５に係るコネクタカバー（１０）は、上記態様１から４のいずれかにおいて、前記非ねじ部の長さは前記外装の厚みよりも長いことが好ましい。
【００５０】
上記構成によれば、例えば、筺体が略直方体であっても、ユーザは腕部の一部が筐体内側にある状態を保ったまま、コネクタカバーにより開口部を開閉することができる。
【００５１】
本発明の態様６に係る筐体（２０）は、開口部（２３）が形成された筐体であって、前記開口部（２３）の底面（２３ａ）には、当該筐体の外装（２０ａ）を貫通する貫通孔（２１）が形成され、前記貫通孔の内周面（２１ａ）には、雌ねじ部（２２）が形成されており、前記雌ねじ部は、前記開口部を開閉するコネクタカバー（１０）の蓋部（１４）に設けられた腕部（１１）の外周面に形成された雄ねじ部（１２）に螺合し、前記雌ねじ部の内径（Ｄ３）は、前記腕部における前記蓋部から前記雄ねじ部までの非ねじ部（１３）の外径（Ｄ１）よりも大きい。
【００５２】
上記構成によれば、態様１と同様の効果を奏する。
【００５３】
本発明の態様７に係る筐体（２０）は、上記態様６において、前記雌ねじ部（２２）のねじ山（２２ａ）は、１ターン未満で形成されていることが好ましい。
【００５４】
上記構成によれば、コネクタカバーの筐体に対する取り付けの容易性を実現するとともに、筐体の薄型化することができる。また、金型ナット構造が不要となり、雌ねじ部を金型スライド構造で形成することができる。
【００５５】
本発明の態様８に係る筐体（２０）は、上記態様６または７において、前記雌ねじ部（２２）のねじ山（２２ａ）の間隔は、前記雄ねじ部（１２）のねじ山（１２ａ）の間隔よりも広いことが好ましい。
【００５６】
上記構成によれば、コネクタカバーの回転時のクリアランスに余裕が生じ、コネクタカバーの回転が容易になる。つまり、コネクタカバーの筐体に対する取り付けの容易性を実現する。
【００５７】
本発明の態様９に係る筐体（２０）は、上記態様６から８のいずれかにおいて、前記雌ねじ部（１２）のねじ山（１２ａ）の深さは、前記雄ねじ部（１２）のねじ山（１２ａ）の深さよりも深いことが好ましい。
【００５８】
上記構成によれば、コネクタカバーの回転性が向上し、コネクタカバーを筐体から取り外すときの引き抜き荷重が軽減する。
【００５９】
本発明の態様１０に係る電子機器（携帯端末１００）は、開口部（２３）が形成された筐体（２０）と、前記開口部を開閉する蓋部（１４）を有するコネクタカバー（１０）と、を備え、前記開口部は、前記筐体の外装（２０ａ）を貫通する貫通孔（２１）が底面（２３ａ）に形成され、前記貫通孔の内周面（２１ａ）には雌ねじ部（２２）が形成されており、前記蓋部には、前記開口部を閉じた場合、前記蓋部における前記貫通孔に対応する箇所に設けられ、前記雌ねじ部に螺合する雄ねじ部（１２）が外周面に形成された腕部（１１）が設けられ、前記腕部における前記蓋部から前記雄ねじ部までに設けられている非ねじ部（１３）の外径（Ｄ１）は、前記雌ねじ部の内径（Ｄ３）よりも小さい。
【００６０】
上記構成によれば、態様１と同様の効果を奏する。
【００６１】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００６２】
１０  コネクタカバー
１１  腕部
１２  雄ねじ部
１２ａ  ねじ山（雄ねじ部のねじ山）
１３  非ねじ部
１４  蓋部
２０  筐体
２０ａ  外装
２１  貫通孔
２１ａ  内周面
２２  雌ねじ部
２２ａ  ねじ山（雌ねじ部のねじ山）
２３  開口部
２３ａ  底面
１００  携帯端末（電子機器）
Ｄ１  外径（非ねじ部の外径）
Ｄ３  内径（雌ねじ部の内径）
Ｔ１  厚み（外装の厚み）
【図１】
2018060679.tif 000003
【図２】
2018060679.tif 000004
【図３】
2018060679.tif 000005
【図４】
2018060679.tif 000006
【図５】
2018060679.tif 000007